(57)【要約】      （修正有）【課題】化粧粉末の出料が均一、円滑、および、適量になる電動フィーダ構造を提供する。【解決手段】化粧粉末の電動フィーダー設計は、モータの高速回転により重量体を振動させて、化粧粉末を均一に排出する構造であり、主に、プラスチック製の容器本体１０からなる。容器本体一端は出料ヘッドを設置し、フィルター装置を内置し、出料ヘッド外側は、スリーブ１６により、ブラシヘッド１４と毛束管１５を有する出料装置を設置し、出料管を挿入する。本体のもう一端底部内側は、回転モータ２２と偏心重量体２３により構成される振動装置を設置し、一組の電池ユニット２５は、スイッチ座により振動の開閉操作を制御し、振動装置の起動により、本体の振動出料を補助し、容器内の化粧粉末を均一、且つ、円滑に出料させることができる。【選択図】図１
0003153317.tif 000002
【実用新案登録請求の範囲】
【請求項１】
化粧粉末の電動フィーダー設計であって、化粧粉料を充填する容器本体、粉体を塗布するブラシヘッド、および、蓋体からなり、その特徴は、
前記容器本体の一端は収縮して出料部となり、内部はろ過装置を設置し、中間は細い出料管を管口部分に延伸し、周縁はブラシヘッドを設置し、外環は滑動可能な毛束管を穿設して、前記ブラシヘッドを収容し、前記毛束管は外縁が凸字状のスリーブを前記本体頂端に定位させて、前記毛束管が前記スリーブの束縛下で、定方向移動操作を実行し、外側は前記蓋体により密封され、また、前記容器本体のもう一端は凹槽部を有し、独立した電機槽座を設置して、回転モータと出力軸端の重量体を内置し、外側は電池ユニットを設置して、前記回転モータは、接線、或いは、導片により前記本体末端のスイッチ座に連接し、前記回転モータが導通して、前記重量体の重力の不均一により生成される振動により、化粧粉末充填容器構造の電動フィーダー補助を達成することができることを特徴とする化粧粉末の電動フィーダー設計。
【請求項２】
前記ろ過装置は、孔径が２〜３ミリの細孔状スポンジ体を設置することを特徴とする請求項１に記載の化粧粉末の電動フィーダー設計。  
【請求項３】
前記回転モータの出力軸端の重量体は、簡易の偏心フリーホイールに組み立てられることを特徴とする請求項１に記載の化粧粉末の電動フィーダー設計。
【請求項４】
前記容器本体の環径は１６〜３２ミリであることを特徴とする請求項１に記載の化粧粉末の電動フィーダー設計。
【請求項５】
前記スイッチ座は前記本体末段環面で制御される設計であることを特徴とする請求項１に記載の化粧粉末の電動フィーダー設計。
【考案の詳細な説明】
【技術分野】
【０００１】
本考案は、化粧粉末の電動フィーダー設計に関するものであって、粉末化粧容器本体の一端に出料ヘッドを設置し、フィルター装置を内置し、出料管を出料装置の内底部に延伸させ、容器のもう一端内部は、回転モータにより駆動される重量体を設置して、振動を生成し、この振動により、化粧粉末を円滑に出料させることができ、出料を均一、且つ、定量にして、メイクを便利にすることができる化粧粉末の電動フィーダー設計に関するものである。
【背景技術】
【０００２】
公知の粉末化粧品の出料構造設計は、一般の化粧品やベビーパウダー等の粉状物を出料する装置で、特許公報や一般の生活用品を見ればわかるように、主に、容器本体の内部に化粧粉末材料を充填し、頂縁は出口部で、穿孔面を有する一組の出料ヘッドか、一般によく見られるブラシを有する出料ヘッドを設置し、更に、外側が蓋で封合されて、出料ヘッドを封閉し、化粧粉料を完全に包装するものである。出料端は、弧形束状のブラシヘッド、あるいは、孔面状の出料設計で、化粧粉末が均一に出料できる。使用時、蓋を開け、容器本体を倒立させるか、適当な角度に傾斜させて使用する。上述のような公知の出料包装設計は、使用者は、通常、手で叩くか揺らして施力補助することにより、内部に充填された粉末状化粧材料を適度に出すが、この使用方式では、均一に出料させることができず、出力の大きさや傾斜角度などに左右される。特に、粉末が非常に細かい場合は、酸化や湿気により固まる等の状況で、均一な出料が不可能である。よって、出料がうまく制御できないと、必要な部位に均一に塗布できないので、時間を浪費するばかりか、何度も塗布しないとメイクアップやお直しができない。化粧粉末材料の出料の不均一と不便のため、多くの粉末材料包装は、大きい瓶口の容器本体に充填し、パフやブラシによりメイクを行う。よって、容器の出料の制御困難により使用上の困難が生じてしまう。
【考案の概要】
【考案が解決しようとする課題】
【０００３】
本考案は、化粧粉末の電動フィーダー設計を提供し、化粧粉料包装容器本体内底部に、回転モータを設置し、重量体の高周波振動により、振動出料を補助し、スイッチ座の開閉制御により、出料が均一、適量になり、現行の化粧粉料の出料が不均一で制御しにくい問題を改善することを目的とする。
【課題を解決するための手段】
【０００４】
本考案の化粧粉末の電動フィーダー設計は、モータの高速回転により重量体を振動させて、化粧粉末を均一に排出する構造であり、主に、プラスチック製の容器本体からなる。容器本体一端は出料ヘッドを設置し、フィルター装置を内置し、出料ヘッド外側は、スリーブにより、ブラシヘッドと毛束管を有する出料装置を設置し、出料管を挿入する。本体のもう一端底部内側は、回転モータと偏心重量体により構成される振動装置を設置し、一組の電池ユニットは、スイッチ座により振動の開閉操作を制御し、振動装置の起動により、本体の振動出料を補助し、容器内の化粧粉末を均一、且つ、円滑に出料させることができる。
【考案の効果】
【０００５】
本考案により、化粧粉末の出料が均一、円滑、および、適量になる。
【図面の簡単な説明】
【０００６】
【図１】本考案の化粧粉容器の立体組み合わせ分解図である。
【図２】本考案の化粧粉容器の組み合わせ外観図である。
【図３】本考案の化粧粉容器の平面図である。
【図４】本考案の化粧粉容器が振動出料補助する状態を示す図である。
【実施例】
【０００７】
本考案の化粧粉末電動フィーダー設計が、図１〜図４で示され、ブラシの構造設計は、充填と握持使用のための長い管状の容器本体１０からなり、通常、環径は１６〜３２mmで、その一端は収縮して出料部１１となり、内部はろ過装置１２を設置し、２〜３mmの口径を有するスポンジ体が適当な長さで設置されて、出料する粉体の大小を一定にし、だまになるのを防止して、円滑に出料させる。また、ろ過装置１２の外端縁は一段の管形を延伸し、中間は細い出料管１３を管口部分に延伸し、周縁はブラシヘッド１４を設置し、外環は滑動可能な毛束管１５を穿設して、出料装置を構成する。使用後、毛束管１５でブラシヘッド１４を被覆して収容することができる。出料管１３がブラシヘッド１４下半分箇所に延伸し、粉料が適時にブラシヘッド１４底部に導引され、出料を補助する。毛細管１５外縁は凸字形状のスリーブ１６を本体１０の頂端に定位させて、毛束管１５がスリーブ１６の束縛下で、定方向移動操作を実行し、外側端は蓋１７により密封され、ブラシヘッド１４を汚れから守る。容器本体１０のもう一端は、適当な深さの凹槽部２０を有し、独立した電機槽座２１が直接、内に設置され、主に、回転モータ２２を設置し、モータ軸端に重量体２３を設置して、簡易の偏心フリーホイールを組み立て、全体は直接外側で組み立てた後、本体１０底端に凹槽部２０に挿入すればよい。回転モータ２２の箇所に、接線、或いは、導片２４により制御スイッチ２６に連接して、動力を供給する電池ユニット２５と連結する。電池ユニット２５は仕切り板を電機槽座２１の外側に設置し、即ち、本体１０の底末端で、蓋状のスイッチ座２６により鎖合し、導電用導片２４は特殊な折片状設計をなし、直接、スイッチ座２６の蓋体内部に組み立てられ、その一端は電池ユニット２５から回転モータ２２を連接し、スイッチ座２６を押圧後、導片２４が電池ユニット２５を制御して、回転モータ２２と導通して操作ができ、内置された弾性素子２７の弾性回復補助により、スイッチ解放後、自動断電して、回転モータ２２の運転を停止し、実際の需要に応じた適量の出料操作が可能である。必要に応じて、制御スイッチを容器本体１０末段の環面上に設置して操作し、粉末電動出料設計を構成することもできる。
出料操作時に、通常、被覆された蓋１７を取り外し、ブラシヘッド１４外縁に設置された毛束環１５を下向けにスリーブ１６の頂口部分に圧縮させ、ブラシヘッド１４外頂部を自然に開かせ、これにより、化粧粉料が出料管１３から流出後、均一に広がり、スイッチ座２６を押して導通させ、内置された回転モータ２２を起動させ、重量体２３が偏心式回転し、重力不均一分布の回転操作によって、高速回転時、容器本体１０全体が連続振動効果を達成し、高速振動による微細な連続振動により、本体１０内部に充填された粉状の化粧粉料が、ろ過装置１２を経て適当に分流し、粉料が出料管１３からブラシヘッド１４の底部に移動し、ブラシにより自然な揺動操作を行って、均一な電動フィーダーの操作制御が達成される。不使用時、スイッチ座２６を押して断電し、振動を停止させれば、出料も減少し、中断され、ブラシヘッド１４に残った粉料が使用された後、毛束管１５は外にブラシヘッドを押して、ブラシが収容される。ブラシヘッド１４の束縛により、粉料が漏れず、蓋１７の密封により、容器本体１０の収容時の清潔と安全を確保する。
本考案は、回転モータ２２により偏心の重量体２３を制御して、容器本体１０の導電振動により出料を補助し、規則的な連続振動操作により、内部に充填された粉末化粧材料が円滑に連続出力され、メイクアップを効果的にする。電動フィーダーの制御は確実で、且つ、連続性があり、実用的である。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
容器本体１０
出料部１１
ろ過装置１２
出料管１３
ブラシヘッド１４
毛束管１５
スリーブ１６
蓋１７
凹槽部２０
電機槽座２１
回転モータ２２
重量体２３
導片２４
電池ユニット２５
制御スイッチ２６
弾性素子２７
【図１】
0003153317.tif 000003
【図２】
0003153317.tif 000004
【図３】
0003153317.tif 000005
【図４】
0003153317.tif 000006
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
化粧粉末の電動フィーダー構造であって、化粧粉料を充填する容器本体、粉体を塗布するブラシヘッド、および、蓋体からなり、その特徴は、
前記容器本体の一端は収縮して出料部となり、内部はろ過装置を設置し、中間は細い出料管を管口部分に延伸し、周縁はブラシヘッドを設置し、外環は滑動可能な毛束管を穿設して、前記ブラシヘッドを収容し、前記毛束管は外縁が凸字状のスリーブを前記本体頂端に定位させて、前記毛束管が前記スリーブの束縛下で、定方向移動操作を実行し、外側は前記蓋体により密封され、また、前記容器本体のもう一端は凹槽部を有し、独立した電機槽座を設置して、回転モータと出力軸端の重量体を内置し、外側は電池ユニットを設置して、前記回転モータは、接線、或いは、導片により前記本体末端のスイッチ座に連接し、前記回転モータが導通して、前記重量体の重力の不均一により生成される振動により、化粧粉末充填容器構造の電動フィーダー補助を達成することができることを特徴とする化粧粉末の電動フィーダー構造。
【請求項２】
前記ろ過装置は、孔径が２〜３ミリの細孔状スポンジ体を設置することを特徴とする請求項１に記載の化粧粉末の電動フィーダー構造。  
【請求項３】
前記回転モータの出力軸端の重量体は、簡易の偏心フリーホイールに組み立てられることを特徴とする請求項１に記載の化粧粉末の電動フィーダー構造。
【請求項４】
前記容器本体の環径は１６〜３２ミリであることを特徴とする請求項１に記載の化粧粉末の電動フィーダー構造。
【請求項５】
前記スイッチ座は前記本体末段環面で制御される設計であることを特徴とする請求項１に記載の化粧粉末の電動フィーダー構造。
【手続補正２】
【補正対象書類名】明細書
【補正対象項目名】全文
【補正方法】変更
【補正の内容】
【考案の詳細な説明】
【技術分野】
【０００１】
本考案は、化粧粉末の電動フィーダー構造に関するものであって、粉末化粧容器本体の
一端に出料ヘッドを設置し、フィルター装置を内置し、出料管を出料装置の内底部に延伸
させ、容器のもう一端内部は、回転モータにより駆動される重量体を設置して、振動を生
成し、この振動により、化粧粉末を円滑に出料させることができ、出料を均一、且つ、定
量にして、メイクを便利にすることができる化粧粉末の電動フィーダー構造に関するもの
である。
【背景技術】
【０００２】
公知の粉末化粧品の出料構造設計は、一般の化粧品やベビーパウダー等の粉状物を出料
する装置で、特許公報や一般の生活用品を見ればわかるように、主に、容器本体の内部に
化粧粉末材料を充填し、頂縁は出口部で、穿孔面を有する一組の出料ヘッドか、一般によ
く見られるブラシを有する出料ヘッドを設置し、更に、外側が蓋で封合されて、出料ヘッ
ドを封閉し、化粧粉料を完全に包装するものである。出料端は、弧形束状のブラシヘッド
、あるいは、孔面状の出料設計で、化粧粉末が均一に出料できる。使用時、蓋を開け、容
器本体を倒立させるか、適当な角度に傾斜させて使用する。上述のような公知の出料包装
設計は、使用者は、通常、手で叩くか揺らして施力補助することにより、内部に充填され
た粉末状化粧材料を適度に出すが、この使用方式では、均一に出料させることができず、
出力の大きさや傾斜角度などに左右される。特に、粉末が非常に細かい場合は、酸化や湿
気により固まる等の状況で、均一な出料が不可能である。よって、出料がうまく制御でき
ないと、必要な部位に均一に塗布できないので、時間を浪費するばかりか、何度も塗布し
ないとメイクアップやお直しができない。化粧粉末材料の出料の不均一と不便のため、多
くの粉末材料包装は、大きい瓶口の容器本体に充填し、パフやブラシによりメイクを行う
。よって、容器の出料の制御困難により使用上の困難が生じてしまう。
【考案の概要】
【考案が解決しようとする課題】
【０００３】
本考案は、化粧粉末の電動フィーダー構造を提供し、化粧粉料包装容器本体内底部に、回
転モータを設置し、重量体の高周波振動により、振動出料を補助し、スイッチ座の開閉制
御により、出料が均一、適量になり、現行の化粧粉料の出料が不均一で制御しにくい問題
を改善することを目的とする。
【課題を解決するための手段】
【０００４】
本考案の化粧粉末の電動フィーダー構造は、モータの高速回転により重量体を振動させて
、化粧粉末を均一に排出する構造であり、主に、プラスチック製の容器本体からなる。容
器本体一端は出料ヘッドを設置し、フィルター装置を内置し、出料ヘッド外側は、スリー
ブにより、ブラシヘッドと毛束管を有する出料装置を設置し、出料管を挿入する。本体の
もう一端底部内側は、回転モータと偏心重量体により構成される振動装置を設置し、一組
の電池ユニットは、スイッチ座により振動の開閉操作を制御し、振動装置の起動により、
本体の振動出料を補助し、容器内の化粧粉末を均一、且つ、円滑に出料させることができ
る。
【考案の効果】
【０００５】
本考案により、化粧粉末の出料が均一、円滑、および、適量になる。
【図面の簡単な説明】
【０００６】
【図１】本考案の化粧粉容器の立体組み合わせ分解図である。
【図２】本考案の化粧粉容器の組み合わせ外観図である。
【図３】本考案の化粧粉容器の平面図である。
【図４】本考案の化粧粉容器が振動出料補助する状態を示す図である。
【実施例】
【０００７】
本考案の化粧粉末電動フィーダー構造が、図１〜図４で示され、ブラシの構造設計は、
充填と握持使用のための長い管状の容器本体１０からなり、通常、環径は１６〜３２mmで
、その一端は収縮して出料部１１となり、内部はろ過装置１２を設置し、２〜３mmの口径
を有するスポンジ体が適当な長さで設置されて、出料する粉体の大小を一定にし、だまに
なるのを防止して、円滑に出料させる。また、ろ過装置１２の外端縁は一段の管形を延伸
し、中間は細い出料管１３を管口部分に延伸し、周縁はブラシヘッド１４を設置し、外環
は滑動可能な毛束管１５を穿設して、出料装置を構成する。使用後、毛束管１５でブラシ
ヘッド１４を被覆して収容することができる。出料管１３がブラシヘッド１４下半分箇所
に延伸し、粉料が適時にブラシヘッド１４底部に導引され、出料を補助する。毛細管１５
外縁は凸字形状のスリーブ１６を本体１０の頂端に定位させて、毛束管１５がスリーブ１
６の束縛下で、定方向移動操作を実行し、外側端は蓋１７により密封され、ブラシヘッド
１４を汚れから守る。容器本体１０のもう一端は、適当な深さの凹槽部２０を有し、独立
した電機槽座２１が直接、内に設置され、主に、回転モータ２２を設置し、モータ軸端に
重量体２３を設置して、簡易の偏心フリーホイールを組み立て、全体は直接外側で組み立
てた後、本体１０底端に凹槽部２０に挿入すればよい。回転モータ２２の箇所に、接線、
或いは、導片２４により制御スイッチ２６に連接して、動力を供給する電池ユニット２５
と連結する。電池ユニット２５は仕切り板を電機槽座２１の外側に設置し、即ち、本体１
０の底末端で、蓋状のスイッチ座２６により鎖合し、導電用導片２４は特殊な折片状設計
をなし、直接、スイッチ座２６の蓋体内部に組み立てられ、その一端は電池ユニット２５
から回転モータ２２を連接し、スイッチ座２６を押圧後、導片２４が電池ユニット２５を
制御して、回転モータ２２と導通して操作ができ、内置された弾性素子２７の弾性回復補
助により、スイッチ解放後、自動断電して、回転モータ２２の運転を停止し、実際の需要
に応じた適量の出料操作が可能である。必要に応じて、制御スイッチを容器本体１０末段
の環面上に設置して操作し、粉末電動出料設計を構成することもできる。
出料操作時に、通常、被覆された蓋１７を取り外し、ブラシヘッド１４外縁に設置され
た毛束環１５を下向けにスリーブ１６の頂口部分に圧縮させ、ブラシヘッド１４外頂部を
自然に開かせ、これにより、化粧粉料が出料管１３から流出後、均一に広がり、スイッチ
座２６を押して導通させ、内置された回転モータ２２を起動させ、重量体２３が偏心式回
転し、重力不均一分布の回転操作によって、高速回転時、容器本体１０全体が連続振動効
果を達成し、高速振動による微細な連続振動により、本体１０内部に充填された粉状の化
粧粉料が、ろ過装置１２を経て適当に分流し、粉料が出料管１３からブラシヘッド１４の
底部に移動し、ブラシにより自然な揺動操作を行って、均一な電動フィーダーの操作制御
が達成される。不使用時、スイッチ座２６を押して断電し、振動を停止させれば、出料も
減少し、中断され、ブラシヘッド１４に残った粉料が使用された後、毛束管１５は外にブ
ラシヘッドを押して、ブラシが収容される。ブラシヘッド１４の束縛により、粉料が漏れ
ず、蓋１７の密封により、容器本体１０の収容時の清潔と安全を確保する。
本考案は、回転モータ２２により偏心の重量体２３を制御して、容器本体１０の導電振
動により出料を補助し、規則的な連続振動操作により、内部に充填された粉末化粧材料が
円滑に連続出力され、メイクアップを効果的にする。電動フィーダーの制御は確実で、且
つ、連続性があり、実用的である。
本考案では好ましい実施例を前述の通り開示したが、これらは決して本考案に限定する
ものではなく、当該技術を熟知する者なら誰でも、本考案の精神と領域を脱しない範囲内
で各種の変動や潤色を加えることができ、従って本考案の保護範囲は、実用新案請求の範
囲で指定した内容を基準とする。
【符号の説明】
【０００８】
容器本体１０
出料部１１
ろ過装置１２
出料管１３
ブラシヘッド１４
毛束管１５
スリーブ１６
蓋１７
凹槽部２０
電機槽座２１
回転モータ２２
重量体２３
導片２４
電池ユニット２５
制御スイッチ２６
弾性素子２７